(57)【特許請求の範囲】
【請求項１】
前後方向に延びる端子挿入孔を有したコネクタハウジングと、該コネクタハウジングの前記各端子挿入孔に後方から挿入される端子とからなり、前記コネクタハウジングの前記各端子挿入孔に、前記端子が後方から前記端子挿入孔の中に挿入されてきたときに該端子の後方への抜けを阻止する可撓性のランスが設けられたコネクタにおいて、
前記端子挿入孔は円形孔よりなり、
前記端子は、相手コネクタ側の端子と嵌合接続される電気接触部を円筒形状とした丸形端子として構成され、該電気接続部の後部に、前記ランスと係合すると共に係合過程において該丸形端子の回転方向の位置決めを行う係合部が設けられると共に、該係合部の更に後側に電線接続部が設けられ、
前記丸形端子の係合部は、前記電気接続部を構成する円筒周壁の対向二面を略同じ寸法だけ凹ませることで形成された係合凹部と、該係合凹部が形成された位置に残る前記円筒周壁を短辺とし且つ前記係合凹部の内底壁を長辺とする断面略長方形の４つの角部を回転モーメント発生のための力を受ける作用点とした回転方向姿勢制御部とを有し、
前記係合凹部は、前記ランスの可動端の係合縁部が嵌まることで、前記丸形端子の前後方向の移動を阻止するものとして設けられ、
前記回転方向姿勢制御部は、前記ランスの係合縁部が前記角部に押圧接触した際の接触圧によって発生する回転モーメントにより、前記丸形端子に回転方向姿勢制御のための回転を与えるものとして設けられ、
一方、前記ランスは、前記端子挿入孔の半径方向に撓み可能に設けられ、
該ランスの係合縁部は、該ランスの撓み方向と直交する方向に沿って延び、且つ、前記丸形端子の回転方向における両側に傾斜面を有すると共に前記端子挿入孔の中心に対応する幅方向中央に頂点を有する断面山形に形成され、
前記傾斜面は、前記頂点の近くに設けられた急斜面と、該急斜面に滑らかに連続し前記頂点から離れる方向に前記急斜面より緩やかな角度で傾斜して延びる緩斜面と、を備えていることを特徴とするコネクタ。
【請求項２】
請求項１に記載のコネクタであって、
前記コネクタハウジングに、該コネクタハウジングの外周面から内部に向けてスペーサ挿入凹部が設けられると共に、該スペーサ挿入凹部に前記丸形端子の挿入方向と交差する方向にスペーサが挿入されており、
該スペーサは、前記スペーサ挿入凹部に挿入された状態で前記コネクタハウジングに本係止されることにより、前記丸形端子の前記ランスと反対側に位置する係合凹部にスペーサの係合縁部を係合させて、前記丸形端子の前後方向への移動を二次係止することを特徴とするコネクタ。
【発明の詳細な説明】
【技術分野】
【０００１】
本発明は、端子挿入孔の内部空間に臨むように設けられた可撓性のランスによって、後方から端子挿入孔に挿入された端子の抜け止めを行うコネクタに関するものである。
【背景技術】
【０００２】
車両用などに使用される多くのコネクタは、従来一般に、例えば、特許文献１に示すように、コネクタハウジングに角形の端子挿入孔を形成し、各端子挿入孔に角形の電気接続部を前部に持つ角形端子を挿入した構成となっている。しかし、角形端子を用いる場合、端子挿入孔への挿入時の端子の軸線周りの方向性の確認が必要となるのであるが、コネクタの小型化に伴って端子の小型化を図ったとき、端子が小さくなるほど挿入時の端子の方向性を確認することが困難になってきている。
【０００３】
それに対し、円筒形状の電線接続部を持つ丸形端子を使用したコネクタの例が、例えば、特許文献２や特許文献３において示されている。この種のコネクタでは、丸形端子の円筒形状の電気接続部の後端にコネクタハウジング側のランスが係合するようにしてあり、方向性を気にせずに、端子を端子挿入孔に挿入できるようになっている。
【先行技術文献】
【特許文献】
【０００４】
【特許文献１】特開２００８−６５９８５号公報
【特許文献２】特開平５−２５８７９５号公報
【特許文献３】特開２００８−１２３９１３号公報
【発明の概要】
【発明が解決しようとする課題】
【０００５】
ところが、前記従来の丸形端子を使用した場合でも、相手側コネクタの端子に対する方向性を確保する必要がある場合がある。例えば、相手側コネクタのオスタブ端子を丸形端子の電気接続部に受け入れて、電気接続部に内蔵した板バネで端子同士の接圧を確保するような場合、相手側コネクタのオスタブ端子に対して適正な向きとなるように、丸形端子をコネクタハウジングに組み付けておかなくてはならない。その他の場合でも、丸形端子の方向性を確保する必要がある場合が今後多く出てくる可能性がある。
【０００６】
しかし、端子が小型化した場合、方向性を確認しながらコネクタハウジングに端子を組み付けることは、角形端子に限らず丸形端子においても非常に困難である。
【０００７】
そこで、コネクタハウジングの端子挿入孔に端子を挿入する時点では、方向性を気にせずに端子を端子挿入孔に挿入することができ、端子を挿入完了した時点で、丸形端子ゆえの回転させやすさを利用して、自動的にランスの付勢力によって端子の方向性を修正できるようにしたい、という要請が出てきた。
【０００８】
本出願人は、そのような要請に応えるものとして、先に、図２〜図４に示すような丸形端子及びコネクタを開発した。
【０００９】
図２はコネクタの概略断面図、図３は丸形端子の外観を示す斜視図、図４（ａ）〜図４（ｃ）は、コネクタハウジングの円形の端子挿入孔に丸形端子を挿入し、ランスの作用によって丸形端子の回転方向の位置を修正し、その上でスペーサを本係止位置まで挿入することによって、丸形端子を適正な姿勢でランスとスペーサによって二重係止するまでの過程を示す断面図である。
【００１０】
このコネクタは、前後方向に延びる端子挿入孔１０２を有したコネクタハウジング１０１と、該コネクタハウジング１０１の各端子挿入孔１０２に後方から挿入される端子２０と、挿入された端子２０を二次係止（本係止）するスペーサ３０と、からなる。コネクタハウジング１０１の各端子挿入孔１０２には、端子２０が後方から端子挿入孔１０２の中に挿入されてきたときに端子２０の後方への抜けを阻止（一次係止）する可撓性係止腕としてのランス１０３が設けられている。
【００１１】
端子挿入孔１０２は円形孔よりなり、端子２０は、相手コネクタ側の端子と嵌合接続される電気接続部２１を円筒形状とした丸形端子よりなる。
【００１２】
コネクタハウジング１０１には、端子挿入孔１０２の他に、外周面（本例では下面）から内部に向けてスペーサ挿入凹部３５が設けられている。スペーサ３０は、スペーサ挿入凹部３５に対して端子２０の挿入方向と交差する方向（本例では上方向）に挿入されており、スペーサ挿入凹部３５に挿入された状態でコネクタハウジング１０１に本係止されることにより、端子２０と係合して端子２０の前後方向への移動を二次係止する役目を果たす。
【００１３】
ランス１０３は、端子挿入孔１０２の内周の上側（端子挿入孔１０２の断面中心の真上）に設けられており、上下方向（端子挿入孔１０２の半径方向＝図４中矢印Ａ方向）に撓み可能となっている。また、スペーサ３０には端子挿通用の凹所（円弧状の切欠）３１が設けられ、その凹所３１の内底部に係合凸部３３が設けられている。そして、係合凸部３３の上端縁が、端子２０に対する係合縁部３３ａとなっている。
【００１４】
一方、丸形端子２０は、前部に、相手コネクタのオス端子を受け入れる電気接続部としての円筒形状のボックス部２１を有し、ボックス部２１の後側に、コネクタハウジング１０１のランス１０３と係合すると共に係合過程において丸形端子２０の回転方向の位置決めを行う係合部２５を有し、その更に後側に電線接続部２７を有している。
【００１５】
丸形端子２０の係合部２５は、ボックス部２１を構成する円筒周壁の対向二面を略同じ寸法だけ凹ませることで形成された係合凹部２３と、この係合凹部２３が形成された位置に残る円筒周壁を短辺２４ｂとし係合凹部２３の内底壁２３ａを長辺２４ａとする断面略長方形の４つの角部２４ｃ〔図４（ａ）〕を回転モーメント発生のための力を受ける作用点とした回転方向姿勢制御部２４と、を有している。なお、この係合部２５を、電線Ｗの芯線加締部として兼用することもできる。
【００１６】
係合凹部２３は、ランス１０３の可動端の係合縁部１０３ｃ及びスペーサ３０の係合縁部３３ａが嵌まることで、丸形端子２０の前後方向の移動を阻止するものとして設けられており、係合凹部２３の内底壁２３ａが、最終的にスペーサ３０の係合縁部３３ａによって回転方向の位置決めが行われる位置決め面となっている。
【００１７】
また、回転方向姿勢制御部２４は、ランス１０３の係合縁部１０３ｃが長方形断面の回転方向姿勢制御部２４の角部２４ｃに押圧接触した際の接触圧によって発生する回転モーメントにより、丸形端子２０に回転方向姿勢制御のための回転を与えるものとして設けられている。
【００１８】
この場合、回転方向姿勢制御部２４の断面は略長方形状になっており、その角部２４ｃにランス１０３の係合縁部１０３ｃやスペーサ３０の係合縁部３３ａが当たった際の当たり位置と丸形端子２０の断面中心（回転方向姿勢制御部２４の中心）Ｏとの位置関係により、回転モーメントがどの方向に働くか決まる。
【００１９】
このコネクタを組み立てる場合は、スペーサ３０を仮係止位置に保持した状態で、コネクタハウジング１０１の端子挿入孔１０２に後方から丸形端子２０を挿入する。この丸形端子２０を挿入すると、電気接続部２１に押されてランス１０３が上方に撓み、突き当たりまで端子２０を挿入すると、ランス１０３の係合縁部１０３ｃが回転方向姿勢制御部２４の角部２４ｃに弾性反力により押圧接触する。
【００２０】
そして、図４（ａ），（ｂ）に示すように、ランス１０３の押圧接触荷重Ｆが回転方向姿勢制御部２４の角部２４ｃに当たることで、丸形端子２０に矢印Ｃ方向の回転モーメントが発生し、丸形端子２０の回転方向の姿勢が修正される。図４（ｂ）に示すように、ある程度修正された状態で、次にスペーサ３０を上向きに挿入すると、スペーサ３０がコネクタハウジング１０１に本係止されると共に、スペーサ３０の係合縁部３３ａが回転方向姿勢制御部２４の角部２４ｃに当たることで、丸形端子２０を所定の姿勢になるように回転させる。この状態で、丸形端子２０の上側の係合凹部２３にランス１０３が係合し、下側の係合凹部２３にスペーサ３０の係合縁部３３ａが係合し、丸形端子２０がランス１０３とスペーサ３０によって二重係止される。
【００２１】
ところで、本出願人が鋭意研究したところ、先に開発したコネクタにおいては、次のような解決すべき新たな課題があることが分かった。
【００２２】
即ち、図５及び図６に示すように、ランス１０３の係合縁部１０３ａには、回転方向姿勢制御部２４に回転力を与えやすいように一定の角度の傾斜面が設けられており、この傾斜面が回転方向姿勢制御部２４の角部２４ｃに当たることで、回転方向姿勢制御部２４に回転力を発生させるようになっているが、ランス１０３の荷重によって有効な回転力を丸形端子２０に与えられない可能性があることが分かった。
【００２３】
例えば、丸形端子２０の回転方向の姿勢により、回転方向姿勢制御部２４の長手方向に沿った中心線Ｋが水平線（水平方向）Ｓに対して角度δを持つとき、回転方向姿勢制御部２４の上端の角部２４ｃにランス１０３の係合縁部１０３ｃが当たることになり、その接触点にランス１０３からの付勢力（回転モーメントを発生させるための荷重）Ｎが作用する。その荷重Ｎの作用する方向（水平線Ｓに対する角度γで表す）は、接触点に当たるランス１０３の係合縁部１０３ｃに垂直な方向である。また、ランス１０３の係合縁部１０３ｃが回転方向姿勢制御部２４の角部２４ｃに当たった際に回転方向姿勢制御部２４に発生する回転モーメントＰの方向（水平線Ｓに対する角度ωで表す）は、回転方向姿勢制御部２４の回転中心Ｏから接触点である前記角部２４ｃに引いた直線Ｇに対して垂直な方向となる。
【００２４】
ここで、先行開発コネクタのように、ランス１０３の係合縁部１０３ｃの傾斜面の角度（鉛直線に対する角度θ）が一定である場合、ランス１０３から回転方向姿勢制御部２４の角部２４ｃに加わる荷重Ｎの方向γは常に一定となる。それに対して、回転方向姿勢制御部２４に発生する回転モーメントＰの方向ωは、回転方向姿勢制御部２４の回転角度δ（水平線Ｓに対する角度δで表す）の変化に応じて変化する。即ち、ランス１０３による姿勢制御作用により、δが小さくなるほどωは大きくなる。従って、本来はランス１０３からの荷重のかかる方向γと回転モーメントの方向ωが一致していれば、ランス１０３の荷重を最も有効に回転方向姿勢制御部２４の回転力に変換できるのであるが、回転方向姿勢制御部２４の回転角度δによってγとωがずれて行くに従い、ランス１０３の荷重Ｆが有効に回転方向姿勢制御部２４の回転力に変換されなくなる。
【００２５】
回転方向姿勢制御部２４に有効に回転力が発生せずに丸形端子２０の回転姿勢が中途半端なままでスペーサ３０を挿入すると、スペーサ３０の挿入動作がスムーズでなくなるばかりか、丸形端子２０の姿勢を最終的に適正状態に制御できなくなる場合も起こり得る。
【００２６】
本発明は、上記事情を考慮し、ランスによる丸形端子の回転姿勢制御がスムーズに確実に行われるようにしたコネクタを提供することを目的とする。
【課題を解決するための手段】
【００２７】
上記課題を解決するために、請求項１の発明のコネクタは、前後方向に延びる端子挿入孔を有したコネクタハウジングと、該コネクタハウジングの前記各端子挿入孔に後方から挿入される端子とからなり、前記コネクタハウジングの前記各端子挿入孔に、前記端子が後方から前記端子挿入孔の中に挿入されてきたときに該端子の後方への抜けを阻止する可撓性のランスが設けられたコネクタにおいて、前記端子挿入孔は円形孔よりなり、前記端子は、相手コネクタ側の端子と嵌合接続される電気接触部を円筒形状とした丸形端子として構成され、該電気接続部の後部に、前記ランスと係合すると共に係合過程において該丸形端子の回転方向の位置決めを行う係合部が設けられると共に、該係合部の更に後側に電線接続部が設けられ、前記丸形端子の係合部は、前記電気接続部を構成する円筒周壁の対向二面を略同じ寸法だけ凹ませることで形成された係合凹部と、該係合凹部が形成された位置に残る前記円筒周壁を短辺とし且つ前記係合凹部の内底壁を長辺とする断面略長方形の４つの角部を回転モーメント発生のための力を受ける作用点とした回転方向姿勢制御部とを有し、前記係合凹部は、前記ランスの可動端の係合縁部が嵌まることで、前記丸形端子の前後方向の移動を阻止するものとして設けられ、前記回転方向姿勢制御部は、前記ランスの係合縁部が前記角部に押圧接触した際の接触圧によって発生する回転モーメントにより、前記丸形端子に回転方向姿勢制御のための回転を与えるものとして設けられ、一方、前記ランスは、前記端子挿入孔の半径方向に撓み可能に設けられ、該ランスの係合縁部は、該ランスの撓み方向と直交する方向に沿って延び、且つ、前記丸形端子の回転方向における両側に傾斜面を有すると共に前記端子挿入孔の中心に対応する幅方向中央に頂点を有する断面山形に形成され、前記傾斜面は、前記頂点の近くに設けられた急斜面と、該急斜面に滑らかに連続し前記頂点から離れる方向に前記急斜面より緩やかな角度で傾斜して延びる緩斜面と、を備えていることを特徴とする。
【００２８】
請求項２の発明のコネクタは、請求項１に記載のコネクタであって、前記コネクタハウジングに、該コネクタハウジングの外周面から内部に向けてスペーサ挿入凹部が設けられると共に、該スペーサ挿入凹部に前記丸形端子の挿入方向と交差する方向にスペーサが挿入されており、該スペーサは、前記スペーサ挿入凹部に挿入された状態で前記コネクタハウジングに本係止されることにより、前記丸形端子の前記ランスと反対側に位置する係合凹部にスペーサの係合縁部を係合させて、前記丸形端子の前後方向への移動を二次係止することを特徴とする。
【発明の効果】
【００２９】
請求項１の発明によれば、ランスの係合縁部に急斜面と緩斜面を設けたので、回転方向姿勢制御部の回転角度によらず、ランスから回転方向姿勢制御部に対して荷重がかかる方向と回転方向姿勢制御部に発生する回転モーメントの方向とをできるだけ近づけることができ、ランスの荷重を有効に端子の回転力に変換して端子を回転制御することができる。その結果、ランスによる丸形端子の回転姿勢制御をスムーズに確実に行うことができて、コネクタの組立の確実化と容易化を図ることができる。
【００３０】
請求項２の発明によれば、ランスとスペーサによって端子を二重に係止することができるので、より確実に端子を固定することができる。
【図面の簡単な説明】
【００３１】
【図１】本発明の実施形態の要部構成図で、（ａ）はランスによる回転姿勢制御の初期の状態を示す断面図、（ｂ）はランスによる回転姿勢制御がある程度進んだときの状態を示す断面図、（ｃ）はランスの係合縁部の構成を示す拡大図である。
【図２】本発明の実施形態のコネクタ及び先行開発したコネクタの共通部分の概略構成を示す側断面図である。
【図３】本発明の実施形態のコネクタ及び先行開発したコネクタにおいて共通に使用される丸形端子の構成を示す外観斜視図である。
【図４】先行開発したコネクタの要部の作用説明図で、（ａ）はコネクタハウジングの円形の端子挿入孔に丸形端子を挿入した状態を示す要部断面図、（ｂ）はランスの作用によって丸形端子の回転方向の位置が修正される途中の状態を示す要部断面図、（ｃ）はその上でスペーサを本係止位置まで挿入することによって、丸形端子を適正な姿勢でランスとスペーサによって二重係止した状態を示す要部断面図である。
【図５】先行開発したコネクタの課題を説明するための図であり、（ａ）はランスによる回転姿勢制御の初期の状態を示す断面図、（ｂ）はランスによる回転姿勢制御がある程度進んだときの状態を示す断面図である。
【図６】ランスの係合縁部の傾斜面と丸形端子の回転方向姿勢制御部の角部が当たった際の力の方向の関係を模式的に示す図である。
【発明を実施するための形態】
【００３２】
以下、本発明の実施形態を図面を参照して説明する。
【００３３】
図１は実施形態の要部構成図で、図１（ａ）はランスによる回転姿勢制御の初期の状態を示す断面図、図１（ｂ）はランスによる回転姿勢制御がある程度進んだときの状態を示す断面図、図１（ｃ）はランスの係合縁部の構成を示す拡大図である。コネクタの概要と丸形端子の構成については、図２及び図３を参照し、スペーサ３０の構成については図４を参照する。
【００３４】
図２に示すように、このコネクタは、前後方向に延びる端子挿入孔２を有したコネクタハウジング１と、該コネクタハウジング１の各端子挿入孔２に後方から挿入される端子２０と、挿入された端子２０を二次係止（本係止）するスペーサ３０と、からなる。コネクタハウジング１の各端子挿入孔２には、端子２０が後方から端子挿入孔２の中に挿入されてきたときに端子２０の後方への抜けを阻止（一次係止）する可撓性係止腕としてのランス３が設けられている。
【００３５】
ランス３は、端子挿入孔２の内周の上側（端子挿入孔２の断面中心の真上）に設けられており、上下方向（端子挿入孔２の半径方向＝図１中矢印Ａ方向）に撓み可能となっている。
【００３６】
端子挿入孔２が円形孔よりなる点、端子２０が丸形端子よりなる点などは、先行開発したコネクタと同じであり、異なるのは次の点である。
【００３７】
即ち、ランス３の係合縁部３ｐは、ランス３の撓み方向（図１中矢印Ａ方向）と直交する方向に沿って延びており、且つ、丸形端子２０の回転方向における両側に傾斜面（後述する３ａ、３ｂ）を有すると共に、端子挿入孔２の中心に対応する幅方向中央に頂点３ａを有する断面山形に形成されている。
【００３８】
特に、上記傾斜面は、頂点３ａの近くに設けられた急斜面３ｂと、該急斜面３ｂに滑らかに連続し頂点３ａから離れる方向に急斜面３ｂより緩やかな角度で傾斜して延びる緩斜面３ｃと、を備えている。ここで、頂点３ａは円弧状に形成されている。また、急斜面３ｂの鉛直線となす角度をθ１、緩斜面３ｃの鉛直線となす角度をθ２とすると、θ１＞θ２となっている。なお、図１（ｃ）中のＬ１、Ｌ２は、急斜面３ｂ及び緩斜面３ｃの接線である。
【００３９】
このコネクタを組み立てる場合は、スペーサ３０を仮係止位置に保持した状態で、コネクタハウジング１の端子挿入孔２に後方から丸形端子２０を挿入する。この丸形端子２０を挿入すると、電気接続部２１に押されてランス３が上方に撓み、突き当たりまで端子２０を挿入すると、ランス３の係合縁部３ｐが回転方向姿勢制御部２４の角部２４ｃに弾性反力により押圧接触する。
【００４０】
そして、図１（ａ），（ｂ）に示すように、ランス３の押圧接触荷重Ｆが回転方向姿勢制御部２４の角部２４ｃに作用することで、丸形端子２０に回転モーメントが発生し、丸形端子２０の回転方向の姿勢が修正される。図１（ｂ）のようにある程度修正された状態で、次にスペーサ３０を上向きに挿入すると、スペーサ３０がコネクタハウジング１に本係止されると共に、スペーサ３０の係合縁部３３ａが回転方向姿勢制御部２４の角部２４ｃに当たることで、丸形端子２０を所定の姿勢になるように回転させる。この状態で、丸形端子２０の上側の係合凹部２３にランス３が係合し、下側の係合凹部２３にスペーサ３０の係合縁部３３ａが係合し、丸形端子２０がランス３とスペーサ３０によって二重係止される。従って、確実に端子２０を固定することができる。
【００４１】
この動作の際、図６に示すように、丸形端子２０の回転方向の姿勢により、回転方向姿勢制御部２４の長手方向に沿った中心線Ｋが水平線（水平方向）Ｓに対して角度δを持つとき、回転方向姿勢制御部２４の上端の角部２４ｃにランス３の係合縁部３ｐが当たることになり、その接触点にランス３からの付勢力（回転モーメントを発生させるための荷重）Ｎが作用する。その荷重の作用する方向（水平線Ｓに対する角度γで表す）は、接触点に当たるランス３の係合縁部３ｐに垂直な方向である。また、ランス３の係合縁部３ｐが回転方向姿勢制御部２４の角部２４ｃに当たった際に回転方向姿勢制御部２４に発生する回転モーメントＰの方向（水平線Ｓに対する角度ωで表す）は、回転方向姿勢制御部２４の回転中心（端子挿入孔２の中心）Ｏから前記角部２４ｃに引いた直線Ｇに対して垂直な方向となる。
【００４２】
ランス３は、斜めに傾いた姿勢の回転方向姿勢制御部２４の上端の角部２４ｃに当たって押圧荷重Ｆを加えることで、回転方向姿勢制御部２４に回転モーメントを発生させ、回転方向姿勢制御部２４を水平方向に沿った姿勢に向けて制御する。
【００４３】
本コネクタでは、ランス３の断面山形の係合縁部３ｐの傾斜面を、一定の角度の傾斜面としていず、頂点３ａに近い位置の急斜面３ｂと、頂点３ａから遠い位置の緩斜面３ｃとで構成しているので、図１（ａ）に示すように、丸形端子２０の回転方向の姿勢により、回転方向姿勢制御部２４の回転角度δが大きいときには、回転方向姿勢制御部２４の上端の角部２４ｃは、ランス３の係合縁部３ｐの幅方向中央の頂点３ａに近い急斜面３ｂに当たり、急斜面３ｂから回転モーメントＰ発生のための荷重Ｎ１を受ける。このときの荷重Ｎ１の方向γ１は、急斜面３ｂに垂直な方向であるから、水平に近い角度となる。
【００４４】
また、図１（ｂ）に示すように、回転方向姿勢制御部２４の回転角度δが小さくなるに従い、回転方向姿勢制御部２４の上端の角部２４ｃが緩斜面３ｃに当たるようになり、回転方向姿勢制御部２４の角部２４ｃは緩斜面３ｃから回転モーメント発生のための荷重Ｎ２を受けるようになる。この段階での荷重の方向γ２は、緩斜面３ｃに垂直な方向であるから、γ１より鉛直に近い角度になる。
【００４５】
従って、回転方向姿勢制御部２４の回転が進んで、回転モーメントＰの発生方向ωが変化（ω１→ω２に変化）して行っても、その変化に追従するように、ランス３から回転方向姿勢制御部２４に作用する荷重Ｎ１、Ｎ２の方向が変化（γ１→γ２に変化）することになり、荷重のかかる方向と回転モーメントが発生する方向ができるだけ近い関係に保たれることになり、回転方向姿勢制御部２４に十分な回転力を発生させることができて、最後まで（水平な姿勢に近くなるまで）回転方向姿勢制御部２４を回転させることができるようになる。
【００４６】
その結果、ランス３による丸形端子２０の回転姿勢制御をスムーズに確実に行うことができて、コネクタの組立の確実化と容易化を図ることが可能となる。
【符号の説明】
【００４７】
１  コネクタハウジング
２  端子挿入孔
３  ランス
３ｐ  係合縁部
３ａ  頂点
３ｂ  急斜面
３ｃ  緩斜面
２０  端子（丸形端子）
２１  電気接触部
２３  係合凹部
２３ａ  底壁面
２４  回転方向姿勢制御部
２４ａ  長辺
２４ｂ  短辺
２４ｃ  角部
２５  係合部
３０  スペーサ
３３ａ  係合縁部
３５  スペーサ挿入凹部
【図１】
0005524790.tif 000002
【図２】
0005524790.tif 000003
【図３】
0005524790.tif 000004
【図４】
0005524790.tif 000005
【図５】
0005524790.tif 000006
【図６】
0005524790.tif 000007